(57)【要約】【課題】床下蓄熱暖房において、ベタ基礎底部のスラブに電熱ヒーターを埋め込む方式では、コンクリート強度の関係から極端に厚くするか、基礎底部のスラブの上層に電熱ヒーターを埋め込むためのコンクリートを重ねて別途に打設しなければならないイニシャルコストの問題が存在した。また、間仕切り基礎などに蓄熱体や熱源を付設する方式では、床下空間が狭小になり、付設したものが剥離するなどの課題があった。【解決手段】床下における基礎において、外気に触れる外周基礎以外の内部間仕切り基礎コンクリート（通称スタンディング）にシーズヒーター等の電気発熱体を埋設し、上部床材もしくは床支持材（大引き）との間に放熱スペーサーを構成するシンプルで画期的な床下蓄熱暖房システムを提供する。【選択図】図１
2009270807.tif 000002
【特許請求の範囲】
【請求項１】
建物の床下において、外気に触れる外周基礎以外の内部間仕切り基礎コンクリート（通称スタンディング）にシーズヒーター等の電気発熱体を埋設し、上部床材もしくは床支持材（大引き）との間にプラスチック等熱伝導の低い素材の遮熱スペーサーを構成する床暖房システム。
【発明の詳細な説明】
【発明の詳細な説明】
【技術分野】
【０００１】床下に構成する床下蓄熱式暖房システムの発明である。
【背景技術】
【０００２】従来、暖房に用いられる床下蓄熱構造として、床下の土間コンクリート内部にシーズヒーターを埋め込み、深夜電力で土間コンクリートに蓄熱し、蓄熱された熱を日中の床上室内暖房に利用する土間蓄熱暖房システムがある。
【特許文献１】特開２００３−３２２３５１号公報
【特許文献２】特開２００６−３１７０７２号公報
【０００３】また、熱源と蓄熱体とを間仕切り基礎の側面部や外周基礎の床下側の側面部に付設した構造の物もある。
【特許文献３】特開２００８−８５４４号公報
【発明の開示】
【発明が解決しようとする課題】
【０００４】上記のような特開２００３−３２２３５１号公報および特開２００６−３１７０７２号公報による、土間コンクリート蓄熱方式にあっては、床下空間が充分に保てる構成がゆえ、床下における電気配線や水道配管のメンテナンスが容易な反面、蓄熱された土間コンクリートと被放熱体である床面との距離がどうしても離れるという関係で、熱効率の無駄があり、ランニングコスト上の問題があった。【０００５】しかも、いわゆるベタ基礎工法による住宅基礎の場合、基礎底部のスラブ部分に直接電熱ヒーターを埋設することは、本来ベタ基礎が外周基礎と底部スラブとが一体となり舟形状態に構成することにより建物の重量を支持するという本来の役割から、コンクリートの強度を確保しなければならないという重要な要件が必須であり、建築基準法の観点から実際に行われることはなかったのである。つまり、異物混入（強度を要するスラブコンクリートに電熱線が入ること）による強度劣化を避けるため、基礎底部のスラブの上層に電熱ヒーターを埋め込むためのコンクリートを重ねて別途に打設するか、スラブの厚みを１・５倍ないしは２倍程度増さなければならず、コンクリートの食い増しによるイニシャルコストの問題が存在した。【０００６】また、特開２００８−８５４４号公報による、熱源と蓄熱体とを間仕切り基礎の側面部などに付設する方式は、床下空間を狭小ならしめる不都合が存在し、また、間仕切り基礎との一体性を保つための貼り付けの不具合により剥離現象が見受けられるほか、熱源と蓄熱体とを付設する施工作業は大掛かりで、厄介なものであるなど技術的な問題が数多く存在した。【０００７】本発明は、上記のような問題点に鑑み、床下における電気配線や水道配管のメンテナンスに必要な床下空間を確保しながら、床下における効果的な蓄熱方法を考案し、しかもランニング効率とイニシャルコストを考慮した、シンプルで画期的な床下蓄熱式暖房システムを提供することを課題とする。
【課題を解決するための手段】
【０００８】上記の課題は、床下において、外気に触れる外周基礎以外の内部間仕切り基礎コンクリート（通称スタンディング）にシーズヒーター等の電気発熱体を埋設し、上部床材もしくは床支持材との間にプラスチック等熱伝導の低い素材の遮熱スパーサーを構成することにより床下で効果的に蓄熱することができ、より安価にしかも効率の良い床下蓄熱式暖房システムを提供することにより解決される。
【発明の効果】
【０００９】上記の発明を実施することにより、特開２００３−３２２３５１号公報および特開２００６−３１７０７２号公報による従来の技術である基礎の底部スラブを蓄熱体に見立てたものよりも、より床面と近い距離関係で蓄熱・放熱出来るのでランニングコストの効率化がはかられ、エネルギーの削減に寄与できるとともに、従来の技術と同様の電気配線や水道配管のメンテナンスに必要な床下空間を確保できるものである。【００１０】また、内部間仕切り基礎コンクリートを蓄熱体に見立てたものであるから、前述のように基礎底部のスラブに重ねて蓄熱用のコンクリートを打設するというイニシャルコストが削減され、近年の住宅建設における主流工法であるベタ基礎工法にも問題なく対応できる特徴を持つものである。【００１１】しかるに、内部間仕切り基礎（スタンディング）は、本来の役割である床材やそれを支える大引き（おおびき）の直下に支持部材として存在するものであり、棒状の鋼製束や棒状のプラスチック製の束（つか）でも代替えできることからも推測出来るとおり、いわゆる建物本体における構造体ではないためコンクリート内部に発熱体を埋め込むことによるコンクリート自体の強度損失は問題とされない。【００１２】さらに、特開２００８−８５４４号公報による従来の技術である、熱源と蓄熱体とを間仕切り基礎の側面部などに付設する方式と比べ、工法がシンプルで床下空間を狭小ならしめる不都合はなく、間仕切り基礎との一体性を保つための貼り付けの不具合により剥離現象を生じる不都合もない。
【発明を実施するための最良の形態】
【００１３】次に、本発明の一実施例を図面に基づいて説明する。
【実施例】
【００１４】図１は、ベタ基礎１を含む家屋の断面図であり、外気に触れる外周基礎２以外の間仕切り基礎３の内部に電熱ヒーター４を埋め込んだ状態を示している。その上部の床材５を支える大引き６との間にはプラスチック等の熱伝導の低い素材を原料とする遮熱スペーサー７（通気基礎パッキンでも代用可能）を配置してあり、床材５や大引き６の過熱を防ぐ役割をもたせてある。また、外周基礎２の外部及び外周基礎２の内側と基礎底部スラブ８の外周付近には発泡プラスチック板等の断熱材９を付設してあり、外周基礎２と土台１０の間には気密パッキン１１を装着することにより、床下空間１２は断熱密封状態に構成してある。さらに、床材５には床下空間１２と屋内空間１３に連通する通気ガラリ１４が設けられ、間仕切り基礎３（スタンディング蓄熱体）からの輻射熱で床材５を温める作用のほか、床下空間１２に放熱された暖気が自然対流や温度差上昇などにより屋内空間１３に到達でき、迅速に屋内空間１３全体を暖房することができるよう構成してある。間仕切り基礎３（スタンディング蓄熱体）と接している基礎底部スラブ８の一部と地表土砂１５の一部は間仕切り基礎３からの熱移動により蓄熱体の役割を演ずるもので、蓄熱形成域１６として表わしてある。図２は基礎部分の平面図であり、間仕切り基礎３、通気ガラリ１４および断熱材９などを表している。図３は遮熱スペーサー７の具体的形状を表した斜視図であり、プラスチック等熱伝導の低い素材でできた遮熱スペーサー７の本体には遮熱効果を向上させるためのエアスリット１７を設けてある。【００１５】以上に本発明の実施形態を示したが、本発明はこれに限られるものではなく、発明思想を逸脱しない範囲で各種の変更が可能である。例えば図４、図５、図６に示すように、間仕切り基礎３に代わるが同様の働きを持つ、それぞれ様々な形状を持つ独立基礎１８に電熱ヒーター４を埋め込み、さらに床材５や大引き６の過熱を防ぐためプラスチック等の熱伝導の低い素材を原料とする遮熱スペーサー７を配置したもので構成することにより実施されてもよい。また、間仕切り基礎３の内部に埋め込む電熱ヒーター４の代わりに熱媒体の流路管を埋め込む方法も考えられ、あるいは、床材５や大引き６が耐熱の素材であるならば遮熱スペーサー７を省略した施工も考えられる。
【図面の簡単な説明】
【００１６】
【図１】本発明の一実施形態を示す家屋の断面図である。
【図２】本発明の一実施形態を示す基礎部分の平面図である。
【図３】遮熱スペーサー７の一実施例を示す斜視図である。
【図４】本発明における間仕切り基礎３に代わる他の実施形態を示す斜視図である。
【図５】本発明における間仕切り基礎３に代わる他の実施形態を示す斜視図である。
【図６】本発明における間仕切り基礎３に代わる他の実施形態を示す斜視図である。
【符号の説明】
【００１７】１    ベタ基礎
２    外周基礎
３    間仕切り基礎（スタンディング）
４    電熱ヒーター
５    床材
６    大引き
７    遮熱スペーサー
８    基礎底部スラブ
９    断熱材
１０  土台
１１  気密パッキン
１２  床下空間
１３  屋内空間
１４  通気ガラリ
１５  地表土砂
１６  蓄熱形成域
１７  エアスリット（通気孔）
１８  独立基礎
【図１】
2009270807.tif 000003
【図２】
2009270807.tif 000004
【図３】
2009270807.tif 000005
【図４】
2009270807.tif 000006
【図５】
2009270807.tif 000007
【図６】
2009270807.tif 000008